(57)【特許請求の範囲】
【請求項１】
食品を収納して加熱する加熱室と、この加熱室内の食品を加熱するためのヒータを備え、前記ヒータは、カーボン材を主成分とする発熱体、前記発熱体が挿入された石英を素材とするガラス管、前記ガラス管内に封入された不活性ガス、前記発熱体を保持する如くその両端に接続されたスパイラル状のタングステン線からなり、かつ、前記ヒータが貫通する加熱室壁には突き出し孔を設けると共に、前記突き出し孔を貫通する前記ヒータの前記スパイラル状部は少なくとも一巻き以上が前記突き出し孔の突き出し部分内に収まるようにしたことを特徴とする高周波加熱装置。
【発明の詳細な説明】
【０００１】
【発明の属する技術分野】
本発明はヒータの熱によって食品を加熱する電熱付高周波加熱装置においてヒータ取付端末部からの電波漏洩防止の構成に関する。
【０００２】
【従来の技術】
従来のこの種の高周波加熱装置のヒータ部分からの電波漏洩防止構造は図３，図４に示す如く、特開平６−４２７５７号公報に記載されているものがあった。この高周波加熱装置は、加熱室壁１を貫通するガラス管内に封されたコイル状ヒータ線３を有するヒータ２が設けられており、食品を加熱するようになっている。コイル状ヒータ線３を有したガラス管が貫通する加熱室壁１を内側に突き出し孔４加工が施され、内部のコイル状ヒータ線３の一巻きが加熱室壁１の突き出し孔４の突き出し部の内側に収まるように構成されている。
【０００３】
また、他の従来この種の高周波加熱装置の電波漏洩防止装置構造は図４に示す如く、特公平５−３０３１５号公報に記載されているようなものがあった。この高周波加熱装置は、加熱室壁１を貫通するコイル状ヒータ線３を有したガラス管を有するヒータ２が設けられており、食品を加熱するようになっている。コイル状ヒータ線３を有したガラス管が貫通する加熱室壁１を外側に突き出し孔５加工が施され、コイル状ヒータ線３の一巻きが加熱室壁１の突き出し孔５の内側に収まるように構成されている。
【０００４】
【発明が解決しようとする課題】
しかしながら上記図３，図４の従来の高周波加熱装置のヒータ部分は、コイルヒータの即発光性能（電源投入後直ちにヒータが発光し使用者に視覚的に訴える）が悪くヒータの発熱使用時の線温度が８００℃位であり、またコイルヒータの主成分はニクロム材を使用しており、ニクロム材の放射率は約７０％前後しかないため食品を加熱するのに時間がかかっていた。また、電波漏洩防止のため加熱室壁を境にし発熱部を配置するため、その発熱体の熱が加熱室外に放出されることで加熱室に隣接した電気室の電気部品などに熱の影響を与えることでそれを冷却する必要がある。そのため無駄なエネルギーを更に使用することになるという課題があった。
【０００５】
【課題を解決するための手段】
本発明は上記課題を解決するため、食材を加熱調理するヒータの発熱体の主成分はカーボン材でありこのカーボン材をガラス管に挿入するとともにガラス管に不活性ガスを封入し、発熱体の両端に接続されたタングステン線をスパイラル状に構成し、ヒータが貫通する加熱室壁を内側または外側に向けて突き出し孔を設ける。突き出し孔を貫通するヒータのスパイラル状部が少なくとも一巻き以上が突き出し孔の突き出し部分内に収まるようにしたものである。
【０００６】
ヒータの即発光性能が良いことを維持し、カーボンヒータの発熱使用時の線温度が１２００℃程であり、カーボン材の放射率は８０％以上あるため食品を加熱する時間が短縮する。また、発熱部の左右両端にタングステン線を接続しスパイラル状に構成することで加熱室壁より内側に発熱部が配置され、加熱室外へ熱の放出がほとんどなくすことが出来る。タングステン線をスパイラル状に構成しているため、発熱時に熱膨張によるたわみ防止、及び振動・衝撃から守るために付けられている。突き出し孔の直線部分内にスパイラル状部が一巻き以上を配置することで加熱室外に電波が洩れないようにすることが出来る。
【０００７】
【発明の実施の形態】
本発明は、食品を収納して加熱する加熱室と、この加熱室内の食品を加熱するためのヒータを備え、前記ヒータは、カーボン材を主成分とする発熱体、前記発熱体が挿入された石英を素材とするガラス管、前記ガラス管内に封入された不活性ガス、前記発熱体を保持する如くその両端に接続されたスパイラル状のタングステン線からなり、かつ、前記ヒータが貫通する加熱室壁には突き出し孔を設けると共に、前記突き出し孔を貫通する前記ヒータの前記スパイラル状部は少なくとも一巻き以上が前記突き出し孔の突き出し部分内に収まるようにした。
【０００８】
そして、カーボンヒータの発熱使用時の線温度が１２００℃程であり、カーボン材の放射率は８０％以上あるため食品を加熱する時間が短縮する。また、発熱部の左右両端にタングステン線を接続しスパイラル状に構成することで加熱室壁より内側に発熱部が配置され、加熱室外へ熱の放出がほとんどなくすことが出来る。タングステン線をスパイラル状に構成しているため、発熱時に熱膨張によるたわみ防止、及び振動・衝撃から守るために付けられている。突き出し孔の直線部分内にスパイラル状部が一巻き以上を配置することで加熱室外に電波が洩れないようにすることが出来る。
【０００９】
【実施例】
以下、本発明の実施例について図面を用いて説明する。
【００１０】
（実施例１）
図１は本発明の実施例１の高周波加熱装置を示す断面図である。
【００１１】
図１において、６は加熱室、７はヒータ、８はヒータ内部にある発熱体であり、主成分はカーボン材で出来ている。９はヒータ７を挿入し不活性ガスなどを封入している石英質のガラス管、１０はヒータ７の発熱体８の熱を加熱室６の内方へ反射させる反射板、１１は食材、１２は発熱体８を保持するためのスパイラル状に成形したタングステン線、１３は、引き出し線、１４は引き出し線１３やヒータ７を保持するためのヒータ固定金具、１５はモリブデン箔、１６は、ヒータ７が貫通するための突き出し孔である。
【００１２】
ヒータ７の取付け構成は、図１において加熱室６の上部側壁部の両端にある突き出し孔１６よりヒータ７を挿入し、ヒータ固定金具１４にて固定する。
【００１３】
次にヒータ７について説明する。図１においてヒータ７は、主成分をカーボンとする発熱体８を石英質のガラス管９に挿入され、不活性ガスで封入されている。その発熱体８は、ガラス管９に封入され発熱体８の両端にスパイラル状に成形されたタングステン線１２を接続し、そのタングステン線１２と引き出し線１３を接続しているのがモリブデン箔１５である。そしてタングステン線１２のスパイラル部が突き出し孔１６の突き出し部分である内側に向いている直線部分内に配置されるように構成をする。なお引き出し線１３は電源（図示せず）に接続されている。また、モリブデン箔１５は反射板１０より外側に位置するように構成する。
【００１４】
次に動作，作用について説明する。加熱室６内に食材１１を設置、ヒータ７に通電し、発熱体８を即発熱させ、加熱室６内の食材１１に熱が照射される。また、発熱体８を発熱させ、反射板１０にて反射させた熱は、加熱室６の食材１１に更に熱が照射され加熱が促進される。
【００１５】
（実施例２）
図２は本発明の実施例２の高周波加熱装置の断面図である。
【００１６】
本実施例２において、実施例１と異なる点は、タングステン線１２のスパイラル部が外側に向いている突き出し孔１７の突き出し部分である直線部分に配置されるように構成する。なお、実施例１と同一符号のものは同一構造を有し、また同一動作・作用を有し、説明は省略する。
【００１７】
【発明の効果】
以上説明したように本発明の高周波加熱装置は、ヒータの即発光性能が良いことを維持しつつ、カーボンヒータの発熱使用時の線温度が１２００℃程であり、カーボン材の放射率は８０％以上あるため食品を加熱する時間が短縮することが出来る。また、発熱部の左右両端にタングステン線を接続しスパイラル状に構成することで加熱室壁より内側に発熱部が配置され、加熱室外へ熱の放出がほとんどなくすことが出来る。タングステン線をスパイラル状に構成している主目的は、発熱時に熱膨張によるたわみ防止、及び振動・衝撃から守るためである。更に電波漏洩防止のため内側又は外側に構成した突き出し孔の直線部分にスパイラル状部が一巻き以上を配置させることで加熱室外に電波が洩れないようにすることが出来る。
【図面の簡単な説明】
【図１】  本発明の実施例１における高周波加熱装置の断面図
【図２】  同実施例２における高周波加熱装置の断面図
【図３】  従来の高周波加熱装置のヒータ部分の断面図
【図４】  同高周波加熱装置のヒータ部分の断面図
【符号の説明】
６  加熱室
７  ヒータ
８  発熱体
９  ガラス管
１０  反射板
１１  食材
１２  タングステン線
１３  引き出し線
１４  ヒータ固定金具
１５  モリブデン箔
１６，１７  突き出し孔
【図１】
0003924884.tif 000002
【図２】
0003924884.tif 000003
【図３】
0003924884.tif 000004
【図４】
0003924884.tif 000005